(57)【要約】      （修正有）【課題】外面の開口から内部の底に至る小孔が設けられた払拭具において、洗浄作業時にその小孔に入り込んだ空気が逆流して開口から放出されるのを防止できる様に構成した払拭具を提供する。【解決手段】払拭具１に、小孔２０内に入り込んだ空気が開口に向けて逆流するのを阻止する逆止弁３０を設ける。逆止弁３０により小孔２０内に保持された空気が効率よく洗浄剤と混ざり合い、泡立ち性能が向上する。逆止弁３０は払拭具本体１０と一体のフラップ状に形成されている。【選択図】図１
0003174588.tif 000002
【実用新案登録請求の範囲】
【請求項１】
多孔質の樹脂弾性体から形成された払拭具本体１０と、
前記払拭具本体の外面の開口２１から内部の底２２に至る複数の小孔２０と、
前記小孔２０内に設けられ、小孔２０に入り込んだ空気が前記開口２１に向けて逆流するのを阻止する逆止弁３０と、を備える払拭具。
【請求項２】
前記逆止弁３０は、
多孔質の樹脂弾性体から前記払拭具本体１０と一体に形成されており、
前記払拭具本体１０に接続された根元部３１から前記小孔内に臨む外縁部にかけて、前記小孔２０の底２２側に向けて傾斜しており、
前記小孔２０にその開口２１から底２２に向けて空気が入り込むと底２２側に向けて撓んで小孔２０を開放し、
前記小孔２０の底２２から開口２１に向けて空気が逆流しようとすると開口２１側に向けて撓んで小孔２０を閉塞する請求項１に記載の払拭具。
【請求項３】
前記逆止弁３０は、前記小孔２０の底２２から開口２１に向けて空気が逆流しようとすると、その外縁部３２が小孔２０の孔縁に密着して小孔２０を閉塞する請求項２に記載の払拭具。
【請求項４】
前記逆止弁３０は、小孔２０内で対向一対をなし、前記小孔２０の底２２から開口２１に向けて空気が逆流しようとすると、その外縁部３２同士が小孔２０内で密着して小孔２０を閉塞する請求項２に記載の払拭具。
【請求項５】
前記払拭具本体１０は、それぞれ扁平な上層１０ａ、中層１０ｃおよび下層１０ｂの三層を貼り合わせて形成されており、
前記中層１０ｃは、厚み方向に貫通する角溝と、角溝の一側面から延びて他側面に接触するフラップと、を有し、
前記角溝が、その上下を前記上層１０ａおよび下層１０ｂで閉塞されることで前記小孔２０となり、
前記フラップが、その上下を前記上層１０ａおよび下層１０ｂで閉塞されることで前記逆止弁３０となっている請求項２から４のいずれかに記載の払拭具。
【考案の詳細な説明】
【技術分野】
【０００１】
本考案は、払拭具に関する。
【背景技術】
【０００２】
樹脂発泡体や不織布などの樹脂製の弾性を有する多孔質体からなる払拭具が汎用されている。
一般に払拭具では泡立ち性能が重視されるところ、洗浄剤の泡立ちを良くするためには、その洗浄剤によく空気を含ませる必要があるという知見がある。
【０００３】
そこで特許文献１のように、払拭具について、外面の開口から内部の底に至る複数の小孔を設けたものが考案されている。この小孔に空気が入り込むことで、洗浄剤が空気を含みやすくなり、泡立ち性能が改善される。
なお、以下、本明細書でいう小孔とは、払拭具の素材（多孔質体）に由来する微細孔は除外する趣旨であり、またそのような素材に由来する微細孔よりも孔径が大きいことを意味する。
【先行技術文献】
【特許文献】
【０００４】
【特許文献１】特開２０１０‐１４８５２９号公報
【考案の概要】
【考案が解決しようとする課題】
【０００５】
しかし、単に小孔が穿ってあるだけでは、払拭具を洗浄対象物に強く押し付けた場合にその払拭具は圧縮変形するため、小孔に入り込んだ空気が逆戻りして開口から放出されて（押し出されて）しまうことがある。
したがって、小孔内の空気が洗浄剤に含まれる効率が悪く、泡立ち性能について改善の余地がある。
【０００６】
そこで本考案の解決すべき課題は、外面の開口から内部の底に至る小孔が設けられた払拭具について、洗浄作業時にその小孔に入り込んだ空気が逆流して開口から放出されるのを防止することである。
【課題を解決するための手段】
【０００７】
上記課題を解決するため、本考案にかかる払拭具では、その小孔内に入り込んだ空気が開口に向けて逆流するのを阻止する逆止弁を設けたのである。
逆止弁により、小孔に入り込んだ空気が開口から放出されることが防止されるため、その小孔内に保持された空気が効率よく洗浄剤と混ざり合い、泡立ち性能が向上する。
【０００８】
ここで逆止弁は、多孔質の樹脂弾性体から前記払拭具本体と一体に形成されており、払拭具本体に接続された根元部から小孔内に臨む外縁部にかけて、前記小孔の底側に向けて傾斜しているのが好ましい。
このような逆止弁は、小孔にその開口から底に向けて空気が入り込むと底側に向けて撓んで小孔を開放し、小孔の底から開口に向けて空気が逆流しようとすると開口側に向けて撓んで小孔を閉塞する。
【０００９】
さらに逆止弁は、小孔の底から開口に向けて空気が逆流しようとした場合に、単一のものが、その外縁部が小孔の孔縁に密着することで小孔を閉塞する単一閉塞型のものでもよいし、対向一対のものが、その外縁部同士が小孔内で密着することで小孔を閉塞する一対閉塞型のものでもよい。
【００１０】
払拭具本体は、それぞれ扁平な上層、中層および下層の三層を貼り合わせて形成されており、中層は、厚み方向に貫通する角溝と、角溝の一側面から延びて他側面に接触するフラップと、を有するのが好ましい。
この場合、角溝が、その上下を上層および下層で閉塞されることで小孔となり、フラップが、その上下を上層および下層で閉塞されることで逆止弁となる。
中層に打ち抜き加工により角溝とフラップを形成し、これを上下層と貼り合わせるだけで小孔と逆止弁が完成するため、払拭具の製造を容易かつ安価に可能である。
【考案の効果】
【００１１】
考案にかかる払拭具を以上のように構成したので、小孔に入り込んだ空気が洗浄作業時に開口から放出されるのが防止され、泡立ち性能が向上する。
【図面の簡単な説明】
【００１２】
【図１】実施形態の払拭具の（ａ）は一部破断斜視図、（ｂ）は平面図、（ｃ）は（ｂ）の矢印断面図
【図２】他の例の払拭具の（ａ）は一部破断平面図、（ｂ）は（ａ）の逆止弁部の拡大平面図
【考案を実施するための形態】
【００１３】
以下、図面を参照しつつ本考案の実施形態について説明する。
図１に示す実施形態の払拭具１は、ブロック型の払拭具本体１０と、一対の小孔２０と、各小孔２０内に形成された逆止弁３０と、からなる。
【００１４】
払拭具本体１０は、発泡樹脂や不織布などの合成樹脂製の多孔質体から形成されて、洗浄対象物に押し付けて洗浄作業をおこなうのに好適な弾性を有している。
その発泡樹脂の発泡度や、発泡樹脂の脱膜処理の有無や程度などは、特に限定されない。また樹脂の種類についても特に限定されず、ポリエチレン、ポリプロピレン、アクリル、メラミンなどの合成樹脂や、天然ゴムなどの天然樹脂が例示できる。
不織布の製法も特に限定されず、メルトブロー法、スパンボンド法が例示できる。
【００１５】
図１のように、ブロック型の払拭具本体１０の各面は、それぞれ対向一対で矩形の、上下面１１、側面１２および端面１３から構成されている。
上下面１１は一番面積が大きく、通常の洗浄作業時には洗浄対象物に押し付けられる払拭面となっており、側面１２は二番目に面積が大きく、通常の洗浄作業時には指先があてがわれる把持面となっている。端面１３は一番面積が小さく、通常の洗浄作業時には洗浄対象物や指先が押し当てられることはない。
払拭具本体１０の寸法についても、手で握りやすい限りにおいては、特に限定されないが、厚みが３０〜４０ｍｍ、幅が５０〜６０ｍｍ、長さが１１０〜１３０ｍｍが例示できる。
【００１６】
図１のように、一対の小孔２０はそれぞれ角孔であり、払拭具本体１０の両端面１３の開口２１からそれぞれ側面１２とほぼ平行に延び、内部の底２２に至っている。
図示のように、一対の小孔２０同士が連通しないように、その底２２の近傍において互いに離れる向きに湾曲している。
【００１７】
この小孔２０には、開口２１を通じて底２２にまで空気が流通可能となっている。とくに、払拭具本体１０の端面１３に開口する小孔２０が形成されていると、上述のように端面１３は洗浄対象物や指先が押し当てられることがないため、小孔２０の開口２１が外部に露出しているため、空気が入り込みやすくなっている。
ここで小孔２０の孔径は、払拭具本体１０の素材に由来する微細孔よりも大きい限りにおいては、特に限定されないが、小さすぎると空気が流通しにくくなって泡立ち性能が低下し、大きすぎると払拭具１の弾性が低下して研磨性能が低下するため、５〜２０ｍｍが好ましい。なお、ここでいう孔径とは、孔縁間の最大距離を意味する。
【００１８】
図１のように、各小孔２０内の開口２１の近傍には、フラップ状の逆止弁３０が配置されている。逆止弁３０は、樹脂発泡体や不織布より払拭具本体１０と一体に形成されている。
逆止弁３０は小孔２０の一側面にある根元部３１において払拭具本体１０と一体に接続されており、その根元部３１から小孔２０を横切る方向に延びており、その外縁部３２（先端部）が小孔２０の他側面に接触するかまたは近接している。
逆止弁３０の全体形状は先細り形状となっており、その根元部３１よりもその外縁部３２のほうが小孔２０の底に近い向き、換言すればその外縁部３２が小孔２０の内側を向くように傾斜している。
【００１９】
この逆止弁３０は払拭具本体１０と同様に適度な弾性を有するため、小孔２０の開口２１側および底２２側のいずれの方向にも撓むことができるようになっている。
したがって、小孔２０の開口から空気が入り込む際には、その空気の圧力により逆止弁３０は底２２の側に撓んで小孔２０を開放し、空気の流通を許容する。
一方、小孔２０に入り込んだ空気が底から開口に向けて逆流しようとする際には、逆止弁３０はその逆流空気の圧力により小孔２０の開口２１の側に撓み、その外縁部が小孔２０の孔縁に密着するため、小孔２０は閉塞され、開口に向う空気の流通が阻止される。
そのため、いったん小孔２０に入り込んだ空気は、逆止弁３０により小孔２０内に保持されることになる。
したがって、払拭具１を用いて洗浄作業をおこなう際には、小孔２０内に保持された空気が洗浄剤に効率よく供給されるため、泡立ち性能が向上する。
【００２０】
ここで逆止弁３０の寸法は特に限定されないが、たとえば厚み（撓み方向の大きさ）については、小さすぎると空気の逆流の圧力に耐え切れずに開いてしまうし、大きすぎると開口から入り込んだ空気の圧力によっても開きにくいため、５〜１０ｍｍ程度であるのが好ましい。
【００２１】
さらに図１のように、払拭具本体１０は、打ち抜き加工によりそれぞれ形成された扁平な矩形の三層、すなわち上層１０ａ、中層１０ｃおよび下層１０ｂから構成されている。
ここで上層１０ａおよび下層１０ｂは、溝等が形成されていないのに対し、中層１０ｃは角溝２０および平面視略三角形のフラップ３０が打ちぬき加工により形成されている。
これら各層を融着等の適宜手段により貼り合わせると、角溝２０の上下がそれぞれ上層１０ａの下面、下層１０ｂの上面に閉塞されることで小孔２０が完成する。同様に、フラップ３０の上下もそれぞれ上層１０ａおよび下層１０ｂの対向面に閉塞されることで逆止弁３０が完成する。
このように打ち抜き加工と貼り合わせによると、払拭具１を簡単かつ安価に製造することができる。
【００２２】
また例えば、図示のように、下層１０ｂを洗浄性能に優れた連続気泡の発泡樹脂で形成し、上層１０ａを研磨性能に優れた不織布で形成すると、洗浄対象物の汚れの状況に応じて払拭具１の上面と下面を使い分けることで、最適の洗浄作業をおこなうことができる。
さらに中層１０ｃを気密性の高い独立気泡の発泡樹脂で形成すると、小孔２０からの空気の漏れを一層防止することができる。
【００２３】
実施形態の払拭具１の構成は以上のようであり、小孔２０に入り込んだ空気は、逆止弁３０により開口２１からの放出が阻止され小孔２０内に保持されるため、効率よく洗浄剤と混ざり合い、泡立ち性能が向上する。
洗浄作業時に洗浄対象物にこすり付けられることの多い上下面１１には小孔２０が設けられていないので、小孔２０に洗浄対象物からの汚れや塵埃が詰まったりすることがなく、衛生的である。そして、小孔２０に汚れや塵埃が詰まらないことから、泡立ち性能が低下することもない。
払拭具１を握った際に指が強く押し付けられる側面１２にも、小孔２０が設けられていないため、損耗しにくい。また、指で小孔２０に蓋をしてしまい、空気の入り込みを阻害することも生じないため、泡立ち性能が低下することがない。
【００２４】
今回開示された実施形態は例示であって制限的なものではないと考慮されるべきである。本考案の範囲は実用新案登録請求の範囲によって示され、実用新案登録請求の範囲と均等の意味および範囲内でのすべての修正と変形を含むものであることが意図される。
【００２５】
たとえば、逆止弁３０の構成は実施形態に限定されず、硬質のプラスチック等で形成された別体の周知の弁体（ボールチェックバルブなど）を、小孔２０に圧入するなどしてもよい。
【００２６】
また逆止弁３０がフラップ状のものの場合でも、図２のように、小孔２０の各側面にある根元部３１からそれぞれ延びる一対の逆止弁３０がそれぞれ小孔２０の底２２に向けて傾斜し、かつ外縁部３２同士が、小孔２０の幅方向の中央部において接触するか近接するような構成を採用してもよい。
この構成を採用した場合でも、小孔２０の開口２１から空気が入り込むと、逆止弁３０の外縁部３２同士が離反して、小孔２０が開放されるが、小孔２０の底２２から空気が逆流しようとする場合には、外縁部３２同士が押し付けられて密着し、小孔２０は閉塞されることになる。
したがって、実施形態と同様に小孔２０内の空気の逆流を防止する逆止弁として支障なく機能する。
【００２７】
逆止弁３０は実施形態のように先細りである必要はなく、厚み（撓み方向の大きさ）が均一でもよい。
逆止弁３０の数も特に限定されず、たとえば小孔２０の延出方向に沿って複数を並列させ、小孔２０内の空気の漏れ出しを一層確実に防止するようにしてもよい。
【００２８】
小孔２０の形状は、角孔に限られずたとえば丸孔でもよいし、その数も複数であれば限定されない。小孔２０は、払拭具本体１０の側面１２や上下面１１に形成してもよい。
払拭具本体１０の形状はブロック型（六面体、四角柱）に限定されず、たとえば円柱形や四角柱以外の角柱形、六面体以外の多面体形でもよい。払拭具本体１０は三層構造に限られず、四層以上としてもよいし、単層や二層でもよい。
【符号の説明】
【００２９】
１  払拭具
１０  払拭具本体
１０ａ  上層
１０ｂ  下層
１０ｃ  中層
１１  上下面
１２  側面
１３  端面
２０  小孔（角溝）
２１  開口
２２  底
３０  逆止弁（フラップ）
３１  根元部
３２  外縁部
【図１】
0003174588.tif 000003
【図２】
0003174588.tif 000004